【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
遊技場に設けられる複数種別の遊技用装置の稼働に基づく稼働情報を収集して管理する管理装置と、前記遊技用装置から稼働に基づいて出力される稼働信号を入力し、該稼働信号に基づく情報を前記管理装置が収集可能に出力する複数の端末装置を含んで構成される遊技場の管理システムであって、
前記複数種別の遊技用装置は、自己の装置種別を示す情報を出力せず、
前記各端末装置は、複数の遊技用装置から出力される稼働信号を入力するための複数の入力端子を備え、
該複数の入力端子各々は、前記端末装置の所定方向側からの配置順にて順序付けられており、
前記管理装置は、
少なくとも同一種別の遊技用装置および前記複数の端末装置を個々に識別可能であるとともに、所定の順序で順序付けられた遊技用装置番号および前記複数の端末装置各々の端末装置番号に対応付けて、該遊技用装置番号の遊技用装置の稼働情報を管理するとともに、
前記端末装置が備える複数の入力端子各々について、該入力端子に接続される遊技用装置の種別を設定するための種別設定手段と、
前記遊技用装置の種別毎に、管理する稼働情報の種類を記憶する記憶手段と、
前記種別設定手段により、同一種別の前記遊技用装置が、前記順序が連続する前記複数の入力端子各々に対して該順序の昇順と前記端末装置番号とで特定される前記複数の端末装置全体の入力端子群の昇順と前記遊技用装置番号の昇順とが対応するように接続される旨を設定するときに、該接続される複数の遊技用装置の遊技用装置番号および端末装置番号のうちの先頭の遊技用装置番号および端末装置番号並びに終端の遊技用装置番号を特定可能な情報、および前記複数の入力端子のうち割り当てを開始する割当開始入力端子を示す情報、を操作者が指定するための指定手段と、
該指定手段における指定内容に基づいて、前記割当開始入力端子から前記順序が昇順に連続する各入力端子に対して、前記先頭の遊技用装置番号および端末装置番号から終端の遊技用装置番号および端末装置番号までの各遊技用装置番号および端末装置番号を昇順に割り当てる割当手段と、
前記端末装置が備える複数の入力端子の順序を、前記所定方向側からの順序とは逆の逆順に設定変更するための端子順序設定手段と、
を備え、
前記端末装置から出力された前記稼働信号に基づく情報を、該稼働信号が入力された入力端子に対して設定された遊技用装置の種別に対応して前記記憶手段に記憶されている種類の稼働情報として認識して収集し、管理するとともに、各入力端子に入力された稼働信号に基づく稼働情報を、該入力端子に割り当てられた遊技用装置番号および端末装置番号に対応付けて管理し、
前記割当手段は、前記端子順序設定手段において逆順が設定されているときは、各端末装置の入力端子について、前記遊技用装置番号および端末装置番号を前記所定方向側からの順序とは逆順に割り当てることを特徴とする遊技場の管理システム。
【手続補正２】
【補正対象書類名】明細書
【補正対象項目名】０００８
【補正方法】変更
【補正の内容】
【０００８】
本発明の遊技場の管理システムは、遊技場に設けられる複数種別の遊技用装置の稼働に基づく稼働情報を収集して管理する管理装置と、前記遊技用装置から稼働に基づいて出力される稼働信号を入力し、該稼働信号に基づく情報を前記管理装置が収集可能に出力する複数の端末装置を含んで構成される遊技場の管理システムであって、
前記複数種別の遊技用装置は、自己の装置種別を示す情報を出力せず、
前記各端末装置は、複数の遊技用装置から出力される稼働信号を入力するための複数の入力端子を備え、
該複数の入力端子各々は、前記端末装置の所定方向側からの配置順にて順序付けられており、
前記管理装置は、
少なくとも同一種別の遊技用装置および前記複数の端末装置を個々に識別可能であるとともに、所定の順序で順序付けられた遊技用装置番号および前記複数の端末装置各々の端末装置番号に対応付けて、該遊技用装置番号の遊技用装置の稼働情報を管理するとともに、
前記端末装置が備える複数の入力端子各々について、該入力端子に接続される遊技用装置の種別を設定するための種別設定手段と、
前記遊技用装置の種別毎に、管理する稼働情報の種類を記憶する記憶手段と、
前記種別設定手段により、同一種別の前記遊技用装置が、前記順序が連続する前記複数の入力端子各々に対して該順序の昇順と前記端末装置番号とで特定される前記複数の端末装置全体の入力端子群の昇順と前記遊技用装置番号の昇順とが対応するように接続される旨を設定するときに、該接続される複数の遊技用装置の遊技用装置番号および端末装置番号のうちの先頭の遊技用装置番号および端末装置番号並びに終端の遊技用装置番号を特定可能な情報、および前記複数の入力端子のうち割り当てを開始する割当開始入力端子を示す情報、を操作者が指定するための指定手段と、
該指定手段における指定内容に基づいて、前記割当開始入力端子から前記順序が昇順に連続する各入力端子に対して、前記先頭の遊技用装置番号および端末装置番号から終端の遊技用装置番号および端末装置番号までの各遊技用装置番号および端末装置番号を昇順に割り当てる割当手段と、
前記端末装置が備える複数の入力端子の順序を、前記所定方向側からの順序とは逆の逆順に設定変更するための端子順序設定手段と、
を備え、
前記端末装置から出力された前記稼働信号に基づく情報を、該稼働信号が入力された入力端子に対して設定された遊技用装置の種別に対応して前記記憶手段に記憶されている種類の稼働情報として認識して収集し、管理するとともに、各入力端子に入力された稼働信号に基づく稼働情報を、該入力端子に割り当てられた遊技用装置番号および端末装置番号に対応付けて管理し、
前記割当手段は、前記端子順序設定手段において逆順が設定されているときは、各端末装置の入力端子について、前記遊技用装置番号および端末装置番号を前記所定方向側からの順序とは逆順に割り当てることを特徴とする。
【手続補正３】
【補正対象書類名】明細書
【補正対象項目名】０００９
【補正方法】変更
【補正の内容】
【０００９】
本発明によれば、一台の端末装置に対し複数種類の遊技用装置からの稼働信号を入力しても、管理装置側で遊技用装置の種別に対応した種類の稼働情報として管理することが可能となり、端末装置の入力端子の空き端子を減少させてシステムのコストダウンを図ることができるようになるとともに、割り当てを開始する先頭の遊技用装置の遊技用装置番号および端末装置番号、割り当てを終了する終端の遊技用装置の遊技用装置番号を特定可能な情報、および割り当てを開始する入力端子を示す情報を指定することにより、各入力端子に対応する遊技用装置番号の割り当てを実施できる。また、端末装置が備える複数の入力端子の順序を逆順に設定変更できるので、遊技用装置の設置形態の相違にも対応することができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
本発明によれば、一台の端末装置に対し複数種類の遊技用装置からの稼働信号を入力しても、管理装置側で遊技用装置の種別に対応した種類の稼働情報として管理することが可能となり、端末装置の入力端子の空き端子を減少させてシステムのコストダウンを図ることができるようになるとともに、割り当てを開始する先頭の遊技用装置の遊技用装置番号および端末装置番号、割り当てを終了する終端の遊技用装置の遊技用装置番号を特定可能な情報、および割り当てを開始する入力端子を示す情報を指定することにより、各入力端子に対応する遊技用装置番号の割り当てを実施できる。また、端末装置が備える複数の入力端子の順序を逆順に設定変更できるので、遊技用装置の設置形態の相違にも対応することができる。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】